(57)【要約】【課題】入力信号に異常が生じた際に画像表示の乱れ等を防止できるとともに、該異常の対処方法をも見いだせる表示も行うことのできる表示装置の提供。【解決手段】入力信号に基づく表示を行う表示装置であって、  前記入力信号の異常を検出する異常検出手段と、  該異常検出手段による前記入力信号の異常の検出時から該異常が継続する時間を計測する時間計測手段と、  該時間計測手段によって計測される前記入力信号の異常の継続する時間が、予め設定された時間以下の場合に単一色の表示を行い、前記時間を超える場合に前記入力信号に基づく表示を行う表示切換手段とを備える。【選択図】図１
2008180830.tif 000002
【特許請求の範囲】
【請求項１】
入力信号に基づく表示を行う表示装置であって、
前記入力信号の異常を検出する異常検出手段と、
該異常検出手段による前記入力信号の異常の検出時から該異常が継続する時間を計測する時間計測手段と、
該時間計測手段によって計測される前記入力信号の異常の継続する時間が、予め設定された時間以下の場合に単一色の表示を行い、前記時間を超える場合に前記入力信号に基づく表示を行う表示切換手段とを備えることを特徴とする表示装置。
【請求項２】
前記予め設定された時間を可変できる入力手段を備えることを特徴とする請求項１に記載の表示装置。
【請求項３】
記憶装置からの情報によって表示に必要な動作パラメータを設定できる手段を備えた表示装置であって、
前記記憶装置からの情報の異常を検出する異常検出手段と、
該異常検出手段によって異常を検出した場合に前記記憶装置の情報を定期的に読み出す読み出し制御部と、
該読み出し制御部によって情報が読み出される回数を計測する回数計測手段と、
該回数計測手段によって計測される前記データ再取込手段によるデータ再取込回数が、予め設定された回数以下の場合に単一色の表示を行い、前記回数を超える場合に前記入力信号に基づく表示を行う表示切換手段とを備えることを特徴とする表示装置。
【請求項４】
表示に必要な動作パラメータを可変できる手段を備え、
入力信号に基づく前記表示は、その表示に必要な動作パラメータとして最低解像度に対応したパラメータとすることを特徴とする請求項３に記載の表示装置。
【発明の詳細な説明】
【技術分野】
【０００１】
本発明は表示装置に係り、たとえば液晶表示装置等の表示装置に関する。
【背景技術】
【０００２】
たとえば液晶表示装置は、たとえばパーソナルコンピュータ（以下パソコンと称する）とともに用いられ、該パソコンからの入力信号(表示データ）に基づいて画像が表示されるようになっている。
【０００３】
この場合、パソコン等からの入力信号(表示データ）が、液晶表示装置に該液晶表示装置の規格外の周波数あるいはタイミングで入力される場合があり、この場合、該液晶表示装置に表示される表示画像に乱れあるいはずれ等が生じる現象が発生する。
【０００４】
このため、パソコン等からの入力信号(表示データ）が規格外の周波数あるいはタイミングで入力された場合に、それを検知して、表示画面をたとえば黒表示させることによって、画面乱れ等を防止した液晶表示装置が知られるに至っている。
【０００５】
このような構成からなる液晶表示装置としてはたとえば下記特許文献１において詳細に開示されている。
【特許文献１】特許第３７３９２８４号公報
【発明の開示】
【発明が解決しようとする課題】
【０００６】
しかし、上述した液晶表示装置は、入力信号の異常を検出すると、その異常の態様に関係なく、表示の全体を黒表示するように構成されたものである。
【０００７】
このため、該液晶表示装置を観察する者が、仮に、該入力信号の異常に対して対処しようとする場合においても、入力信号の異常検出のみで切換られた表示情報（黒表示）が得られるだけであり、その対処の術を見いだせない状態となっていることは否めない。
【０００８】
換言すれば、異常のある入力信号による映像にあって、その位置がずれあるいは表示の一部が乱れていようが、その画像の表示態様から得られる情報によってそれなりの対処方法を見いだすことが可能となる。
【０００９】
本発明の目的は、入力信号に異常が生じた際に画像表示の乱れ等を防止できるとともに、該異常の対処方法をも見いだせる表示も行うことのできる表示装置を提供することにある。
【課題を解決するための手段】
【００１０】
本願において開示される発明のうち、代表的なものの概要を簡単に説明すれば、以下のとおりである。
【００１１】
（１）本発明による表示装置は、たとえば、入力信号に基づく表示を行う表示装置であって、
前記入力信号の異常を検出する異常検出手段と、
該異常検出手段による前記入力信号の異常の検出時から該異常が継続する時間を計測する時間計測手段と、
該時間計測手段によって計測される前記入力信号の異常の継続する時間が、予め設定された時間以下の場合に単一色の表示を行い、前記時間を超える場合に前記入力信号に基づく表示を行う表示切換手段とを備えることを特徴とする。
【００１２】
（２）本発明による表示装置は、たとえば、（１）の構成を前提とし、前記予め設定された時間を可変できる入力手段を備えることを特徴とする。
【００１３】
（３）本発明による表示装置は、たとえば、記憶装置からの情報によって表示に必要な動作パラメータを設定できる手段を備えた表示装置であって、
前記記憶装置からの情報の異常を検出する異常検出手段と、
該異常検出手段によって異常を検出した場合に前記記憶装置の情報を定期的に読み出す読み出し制御部と、
該読み出し制御部によって情報が読み出される回数を計測する回数計測手段と、
該回数計測手段によって計測される前記データ再取込手段によるデータ再取込回数が、予め設定された回数以下の場合に単一色の表示を行い、前記回数を超える場合に前記入力信号に基づく表示を行う表示切換手段とを備えることを特徴とする。
【００１４】
（４）本発明による表示装置は、たとえば、（４）の構成を前提とし、表示に必要な動作パラメータを可変できる手段を備え、
入力信号に基づく前記表示は、その表示に必要な動作パラメータとして最低解像度に対応したパラメータとすることを特徴とする。
【００１５】
なお、本発明は以上の構成に限定されず、本発明の技術思想を逸脱しない範囲で種々の変更が可能である。
【発明の効果】
【００１６】
このように構成した表示装置は、入力信号に異常が生じた際に画像表示の乱れ等を防止できるとともに、該異常の対処方法をも見いだせる表示も行うことができる。
【発明を実施するための最良の形態】
【００１７】
図１は、本発明による表示装置の構成の一実施例を示すブロック図である。
【００１８】
まず、液晶表示パネル１に入力される入力信号（表示データ）があり、この入力信号は切換部２を介して該液晶表示パネル１に入力されるようになっている。
【００１９】
また、黒表示用信号生成部３があり、この黒表示用信号生成部３からの信号（黒表示データ）は前記切替部２を介して前記液晶表示パネル１に入力されるようになっている。
【００２０】
さらに、前記入力信号（表示データ）は異常検出部４に入力されるようになっている。この異常検出部４では、前記入力信号（表示データ）に異常の有無を判別する信号が出力されるようになっている。前記入力信号（表示データ）の異常とは、たとえば、クロック信号がない場合あるいは同期信号がない場合等が例として挙げられる。なお、この異常検出部４では、前記入力信号（表示データ）に異常が無くなった場合において、そのことをも検知できるようになっている。
【００２１】
異常検出部４からの出力は前記切替部２に入力されるようになっており、前記入力信号（表示データ）に異常があるとした場合、液晶表示パネル１に入力されていたいままでの入力信号（表示データ）が黒表示用信号生成部３からの信号（黒表示データ）に切り替わるようになっている。
【００２２】
また、前記異常検出部４からの出力は時間計測部５に入力されるようになっており、該異常検出部４によって異常が検出された場合、その時点から前記時間計測部５は時間を計測するようになっている。
【００２３】
時間計測部５による前記時間の計測値に対応する信号は比較部６に入力されるようになっている。
【００２４】
この比較部６は、一方において、閾値入力部７から設定された時間（閾値）に対応する信号が入力されるようになっており、前記時間計測部５からの時間計測値と前記閾値とが比較され、たとえば前記時間計測部５からの時間計測値が前記閾値を超える値になった場合、その旨の信号が前記切換部２に出力されるようになっている。
【００２５】
前記切換部２は、比較部６から前記信号を受け取った場合、いままでの黒表示用信号生成部３からの黒表示データの液晶表示パネル１への出力を、入力信号（表示データ）の液晶表示パネル１への出力に切り換える動作をするようになっている。
【００２６】
図２は、上述した構成の表示装置において、入力信号（表示データ）に異常が生じた場合のその表示の変化について示したタイムチャートである。図２（ａ）は異常の状態が短い場合を示し、図２（ｂ）は異常の状態が長い場合を示している。
【００２７】
図２（ａ）において、最初、異常が検知されていない入力信号（表示データ）に基づいて通常表示がなされており、図中Ａの時点で、該入力信号（表示データ）に異常が検出されたとする。これにより、図中Ａの時点から黒表示が継続した時間の間なされるが、その時間が予め設定された閾値である時間よりも短い場合、すなわち、前記閾値に相当する時間の前に入力信号（表示データ）に異常が検出されなくなった場合、その時点（図中Ｂの時点）で、該入力信号(表示データ)に基づく表示がなされるようになる。このようにすることにより、入力信号（表示データ）の異常が短時間で終わってしまうような場合に、画面表示の乱れを最小限に抑えるようにしている。
【００２８】
図２（ｂ）において、図２（ａ）と同様、最初、異常が検知されていない入力信号（表示データ）に基づいて通常表示がなされており、図中Ａの時点で、該入力信号（表示データ）に異常が検出されたとする。これにより、図中Ａの時点から黒表示が継続してなされるが、その継続が予め設定された閾値である時間を超えるような場合、すなわち、前記閾値に相当する時間に至ってまでも入力信号（表示データ）に異常が検出され続けている場合、その時点（図中Ｃの時点）で、該入力信号(表示データ)に基づく表示がなされるようになる。この場合、該入力信号（表示データ）はそれに異常が検出されているものであることから、その画像表示として、ずれが生じていたり、また、表示の一部に乱れが生じたものとなっている。そして、このような表示が継続してなされても、たとえば図中Ｄの時点で、異常が検出されなくなった場合には、その時点から前記ずれあるいは乱れのない表示がなされるようになっている。このようにすることにより、入力信号（表示データ）の異常が短時間で終わらないような場合に、異常状態とその内容からなる情報を表示画像を通して観察者に知らしめるようにしている。
【００２９】
図３は、本発明による表示装置の構成の他の実施例を示すブロック図である。
【００３０】
まず、コントローラ８を介して液晶表示パネル１に入力される入力信号（表示データ）がある。該入力信号（表示データ）は、コントローラ８内のデータ処理タイミング信号生成部９および切換部２をそれぞれ順次介して、該液晶表示パネル１に入力されるようになっている。
【００３１】
また、黒表示用信号生成部３があり、この黒表示用信号生成部３からの信号（黒表示用信号）は前記切替部３を介して前記液晶表示パネル１に入力されるようになっている。
【００３２】
これにより、液晶表示パネル１には、前記切替部２の切換によって、前記入力信号（表示データ）および黒表示用信号のいずれか一方が入力されるようになっており、その信号に基づいた表示がなされるようになっている。
【００３３】
一方、コントローラ８の外部に配置されＥＥＰＲＯＭからなる記憶装置１０があり、この記憶装置１０には前記液晶表示パネル１の表示の際の制御を行うためのタイミング設定値等の情報が格納されている。なお、この実施例では、該記憶装置１０に格納されている前記情報に異常がある場合を想定して、液晶表示装置を構成したものとなっている。
【００３４】
前記記憶装置１０から読み出された前記情報は異常検出部１１とレジスタ１２にそれぞれ入力されるようになっている。
【００３５】
異常検出部１１は前記記憶装置１０から読み出された前記情報に異常があることを検出した場合に、その旨の信号を前記切換部２に出力させ、該切換部２は、それまで液晶表示パネル１に入力されていた入力信号（表示データ）を、前記黒表示用信号生成部３からの信号（黒表示用信号）に切り換えるように動作するようになっている。
【００３６】
前記異常検出部１１からの出力は、読出し制御部１３に入力され、前記記憶装置１０からの情報に異常がある場合には、以後、該読出し制御部１３によって定期的に前記記憶装置１０内の前記情報が読み出される（リトライ処理）ようになっている。
【００３７】
そして、この読出し制御部１１によって前記記憶装置１０から前記情報が読み出された場合に、その読み出し（リトライ）の回数がリトライ回数カウント部１４によって計測されるようになっている。
【００３８】
該リトライ回数カウント部１４によって計測された計測値は比較部１５に入力されるようになっている。
【００３９】
一方、コントローラ８の外部に閾値入力部１６を備え、この閾値入力部１６を介して適当な値（閾値）を入力できるようになっており、該値は前記比較部１５に入力されるようになっている。
【００４０】
前記比較部１５では、前記リトライ回数カウント部１４によって計測された計測値と前記閾値入力部１６から入力された閾値とが比較され、前記計測値が閾値よりも大きくなった場合に、該比較部から出力される信号（たとえば論理値「１」信号）が前記レジスタ１２に入力されるようになっている。
【００４１】
前記レジスタ１２はその出力をデータ処理タイミング信号生成部９に入力させるようになっており、液晶表示パネル１に入力させる入力信号（表示データ）を、それまで該データ処理タイミング信号生成部９によって高解像度として形成していたのを、前記比較部１５からの出力信号（論理値「１」信号）の前記レジスタ１２への入力によって、最低解像度に形成するようになっている。
【００４２】
そして、比較部１５からの前記出力信号（論理値「１」信号）は前記切替部２にも入力されるようになっており、該出力信号（論理値「１」信号）の入力によって、前記データ処理タイミング信号生成部９を介した入力信号（表示データ）が、いままでの黒表示用信号生成部３からの信号（黒表示用信号）に代わって該液晶表示パネル１に入力され、該液晶表示パネル１の表示が切り替えられるようになっている。
【００４３】
前記データ処理タイミング信号生成部９は、上述したように、入力信号（表示データ）を最低解像度として液晶表示パネル１に入力させるようになっており、該液晶表示パネル１は最低解像度の表示データに基づいて表示されるようになっている。
【００４４】
図４は、図３に示した表示装置の動作の一実施例を示したフロー図である。
【００４５】
まず、ステップＳＴ１において、前記記憶装置１０に格納されている情報を読み出す。この記憶装置１０には、上述したように、前記液晶表示パネル１の表示の際の制御を行うためのタイミング設定値等の情報が格納されている。
【００４６】
次に、ステップＳＴ２において、前記記憶装置１０から読み出された情報に前記異常検出部１１によって異常が検出された場合に、ステップＳＴ３において、前記切替部２を駆動させて液晶表示パネル１に黒表示を開始させる。この黒表示は前記黒表示用信号生成部３からの信号を該液晶表示パネル１へ入力させることによって行われる。これにより、誤った設定値によって液晶表示パネル１に表示乱れを生じさせるのを回避させることができる。
【００４７】
次に、ステップＳＴ４において、前記記憶装置１０に格納されている情報の読み出しを再び行う（リトライ）。
【００４８】
そして、ステップＳＴ５において、前記記憶装置１０から読み出された情報から前記異常検出部１１によって異常を検出したか否かを判定する。
【００４９】
前記異常検出部１１によって異常を検出しない場合には、ステップＳＴ６において、前記液晶表示パネル１に通常表示を行うようにし、それまでの黒表示が通常表示に切り替わるようになる。ここで、通常表示とは、前記データ処理タイミング信号生成部９を介して入力される入力信号（表示データ）によってなされる表示であり、黒表示から通常の表示の切り替えは前記切換部２によってなされるようになっている。
【００５０】
ステップＳＴ５において、前記異常検出部１１によって異常を検出した場合、ステップＳＴ７において、そのリトライ回数が閾値以下の値か否かの判定を行う。ここで、前記閾値とは前記閾値入力部１６から入力された値をいい、前記判定は前記比較部１５の出力によって行われるようになっている。。
【００５１】
そして、ステップＳＴ７において、リトライ回数が前記閾値以下の値である場合、ステップＳＴ４に戻り、前記記憶装置１０に格納されている情報の読み出しを再び行う（リトライ）。
【００５２】
また、ステップＳＴ７において、リトライ回数が前記閾値以下の値でない場合、ステップＳＴ８において、前記レジスタ１２に最低解像度のタイミングを設定する。前記レジスタ１２には、それまで、前記記憶装置１０から高解像度のタイミング設定値が設定されており、ステップＳＴ８において、前記比較部１５からのたとえばリセット信号によって、最低解像度のタイミングに設定し直されるようになっている。
【００５３】
また、該レジスタ１２に設定された最低解像度のタイミングの情報は前記データ処理タイミング信号生成部９に入力されるようになっている。
【００５４】
さらに、ステップＳＴ７において、リトライ回数が前記閾値以下の値でない場合、前記比較部１５からの出力は前記切替部２に入力され、ステップＳＴ９において、前記切替部２によって、入力信号（表示データ）はデータ処理タイミング信号生成部９を介して液晶表示パネル１に入力されるようになっている。この場合、データ処理タイミング信号生成部９には、最低解像度のタイミングの情報が入力されていることから、前記液晶表示パネル１の表示は最低解像度の表示となる。
【００５５】
これによって、液晶表示パネル１の該表示は、予め設定されたリトライ回数に相当する記憶装置１０の読み出しにも拘わらず、正常に表示されていないことが判明するとともに、異常状態とその内容からなる情報を見いだすことが可能となる。
【００５６】
上述した実施例では、液晶表示装置を例に挙げて説明したものであるが、たとえば有機ＥＬ装置等のように他の表示装置であっても適用できることはいうまでもない。これらは表示パネルにおける発光原理が異なるものであるが、その表示駆動においては共通するからである。
【００５７】
また、上述した実施例では、入力信号（表示データ）に異常が生じた場合、画面を黒表示させたものであるが、たとえば白表示等の他の色で単一色表示をするようにしてもよいことはいうまでもない。
【００５８】
上述した各実施例はそれぞれ単独に、あるいは組み合わせて用いても良い。それぞれの実施例での効果を単独であるいは相乗して奏することができるからである。
【図面の簡単な説明】
【００５９】
【図１】本発明による表示装置の構成の一実施例を示すブロック図である。
【図２】図１に示す表示装置において、入力信号（表示データ）に異常が生じた場合のその表示の変化について示したタイムチャートである。
【図３】本発明による表示装置の構成の他の実施例を示すブロック図である。
【図４】図３に示す表示装置の動作を示すフロー図である。
【符号の説明】
【００６０】
１……液晶表示パネル、２……切換部、３……黒表示用信号生成部、４、１１……異常検出部、５……時間計測部、６……比較部、７……閾値入力部、８……コントローラ、９……データ処理タイミング信号生成部、１０……記憶装置、１２……レジスタ、１３……読み出し制御部、１４……リトライ回数カウント部、１５……比較部、１６……閾値入力部。
【図１】
2008180830.tif 000003
【図２】
2008180830.tif 000004
【図３】
2008180830.tif 000005
【図４】
2008180830.tif 000006